(57)【特許請求の範囲】
【請求項１】
貯湯タンクに蓄えた湯を給湯端末に供給する貯湯式給湯システムであって、
前記貯湯タンクに蓄える湯量の上限値（以下、最大貯湯量）を、該貯湯タンクの容量の範囲内でユーザが任意に設定する最大貯湯量設定手段と、
前記貯湯タンク内の水を加熱手段により加熱して湯にする沸き上げ動作を実行することにより、前記最大貯湯量の湯を前記貯湯タンクへ蓄える沸き上げ手段と、
前記貯湯タンク内に蓄えておくべき湯量の下限値（以下、最低貯湯量）を、前記最大貯湯量を超えない範囲でユーザが任意に設定する最低貯湯量設定手段と、
前記貯湯タンク内の湯量が前記最低貯湯量を下回った場合に、前記沸き上げ動作を実行することにより、追加で湯を蓄える追加沸き上げ手段と、
前記最大貯湯量設定手段により前記最大貯湯量が前記最低貯湯量以下の湯量に変更される場合に、該最大貯湯量の変更に連動して、前記最低貯湯量を該最大貯湯量未満の所定湯量に変更する最低貯湯量変更手段と、
を備えることを特徴とする貯湯式給湯システム。
【請求項２】
前記最低貯湯量変更手段が実行された場合に、前記最低貯湯量が変更された旨をユーザに対して報知する報知手段を更に備えることを特徴とする請求項１に記載の貯湯式給湯システム。
【請求項３】
前記最低貯湯量設定手段または前記最低貯湯量変更手段による前記最低貯湯量の設定値にはゼロを含むことを特徴とする請求項１又は請求項２に記載の貯湯式給湯システム。
【発明の詳細な説明】
【技術分野】
【０００１】
本発明は、貯湯式給湯システムに関する。
【背景技術】
【０００２】
従来、例えば、特許文献１には、使用者が湯の沸き増しを希望する場合に、リモコン装置に表示された複数の沸き増しレベルの選択範囲から手動で選択可能とした貯湯式給湯機が開示されている。このシステムによれば、使用者が選択した適切な量を沸き増すことができるので、湯切れ、湯余りを回避することができる。
【先行技術文献】
【特許文献】
【０００３】
【特許文献１】特許第４３２９７７８号公報
【発明の概要】
【発明が解決しようとする課題】
【０００４】
ところで、上記のような従来の構成では、例えば、複数台の貯湯タンクを並べて使用する業務用給湯機などのシステムにおいて、所望の貯湯量を確保することができないことも想定される。つまり、例えば貯湯タンク１台あたりの容量が４６０Ｌである場合には、そのシステムの貯湯量は１台で４６０Ｌ、２台で９２０Ｌ、３台で１３８０Ｌとなり、７００Ｌや１２００Ｌなどの所望の湯量を得るためのタンク容量を設定することができない。また、小さなタンク容量（例えば２００Ｌなど）のバリエーション設定を充実化し、その組合せによって所望のタンク容量を得ようとした場合、各々の給湯機間のタンク容量や沸き上げ量などの設定情報を互いに調整しあうなどの必要が生じてしまい、大幅な機種の増加となり生産性が悪化する問題もあった。
【０００５】
本発明は、上述のような課題を解決するためになされたもので、貯湯タンクへの貯湯量をユーザが簡易な操作で設定することにより、不要な沸き上げ動作の実行を抑制することのできる使い勝手のよい貯湯式給湯システムを提供することを目的とする。
【課題を解決するための手段】
【０００６】
本発明に係る貯湯式給湯システムは、貯湯タンクに蓄えた湯を給湯端末に供給する貯湯式給湯システムであって、貯湯タンクに蓄える湯量の上限値（最大貯湯量）を、該貯湯タンクの容量の範囲内でユーザが任意に設定する最大貯湯量設定手段と、貯湯タンク内の水を加熱手段により加熱して湯にする沸き上げ動作を実行することにより、最大貯湯量の湯を前記貯湯タンクへ蓄える沸き上げ手段と、貯湯タンク内に蓄えておくべき湯量の下限値（最低貯湯量）を、最大貯湯量を超えない範囲でユーザが任意に設定する最低貯湯量設定手段と、貯湯タンク内の湯量が最低貯湯量を下回った場合に、沸き上げ動作を実行することにより、追加で湯を蓄える追加沸き上げ手段と、最大貯湯量設定手段により最大貯湯量が最低貯湯量以下の湯量に変更される場合に、該最大貯湯量の変更に連動して、最低貯湯量を該最大貯湯量未満の所定湯量に変更する最低貯湯量変更手段と、を備えたものである。
【発明の効果】
【０００７】
本発明によれば、貯湯タンクへの貯湯量をユーザが簡易な操作で設定することにより、不要な沸き上げ動作の実行を抑制することができ、使い勝手を向上することができる。
【図面の簡単な説明】
【０００８】
【図１】本発明の実施の形態に係る貯湯式給湯システムの構成を示す図である。
【図２】本発明の実施の形態において実行されるルーチンのフローチャートである。
【発明を実施するための形態】
【０００９】
以下、図面を参照して本発明の実施の形態について説明する。尚、この実施の形態により本発明が限定されるものではない。
【００１０】
実施の形態１．
[本実施の形態の構成]
本発明に係る貯湯式給湯システムの実施の形態の構成について説明する。図１は、本発明の実施の形態に係る貯湯式給湯システムの構成を示す図である。尚、本実施の形態の給湯システムは、加熱手段としてヒートポンプを用いている。また、給湯容量の大きい業務用給湯機を前提にしており、給湯先の所望給湯量から設定されるタンク容量を満足するように、それぞれ個別の制御で動作する貯湯式給湯システムを複数セット並列に設置して使用する形態を採る。ここでは、そのシステムの中の１つの給湯システムを代表例として、その詳細を説明する。
【００１１】
図１に示すとおり、貯湯式給湯システム３０は、貯湯タンクユニット２５と加熱手段としてのヒートポンプユニット２０とで構成されている。貯湯タンクユニット２５には、貯湯タンク１が内蔵されている。貯湯タンク１の下部には、給水配管２の一端が接続されている。この給水配管２の他端には、外部から市水が供給される。また、貯湯タンク１の上部には、給湯配管４の一端が接続されている。給湯配管４の他端には蛇口１８が接続されており、貯湯タンク１内の湯はこの蛇口１８から出湯される。なお、前述の複数セット並列に設置される場合の配管接続は、各々の給湯システムの給湯配管４同士を、複数の出湯先（蛇口１８など）に対して並列になるように接続する。
【００１２】
貯湯タンク１は、加熱循環回路３を介してヒートポンプユニット２０と接続されている。ヒートポンプユニット２０内には、圧縮機、給湯用熱交換器、膨張弁、空気熱交換器およびアキュームレータが冷媒配管により順次接続されて構成されたヒートポンプ回路が備えられている。加熱循環回路３の往き管３１は、貯湯タンク１の下部とヒートポンプユニット２０とを接続しており、加熱循環回路３の戻り管３２は、貯湯タンク１の上部とヒートポンプユニット２０とを接続している。
【００１３】
貯湯タンク１内は、常に、水と湯によって満たされている。ヒートポンプユニット２０による加熱動作（沸き上げ動作）を行う場合には、往き管３１の途中に設けられた循環ポンプ（図示せず）を作動することにより、貯湯タンク１の下部から取り出された水が往き管３１を通ってヒートポンプユニット２０内に導かれる。ヒートポンプユニット２０では外気との間で熱交換が行われ、導入された水が予め設定された目標沸き上げ温度になるように沸き上げられる。沸き上げられた高温の湯は、戻り管３２を通って貯湯タンク１の上部に戻される。貯湯タンク１内は、水と、沸き上げられた湯とが、境界層（混合層）を介して下層と上層とに分かれて停留する。ヒートポンプユニット２０による加熱動作時には、貯湯タンク１内に上部から湯が蓄積し、水と湯との境界層が下方へ移動する。一方、貯湯タンク１からの出湯時には、貯湯タンク１の上部から湯が取り出された分だけ下部から水が注入され、水と湯との境界層が上方へ移動する。
【００１４】
貯湯タンク１の側面の外周部には、上から順に温度センサ５ａ〜５ｄが間隔を空けて設けられている。これらの温度センサ５ａ〜５ｄは、貯湯タンク１の上部からの内容積がそれぞれ所定の量（本実施形態では、０Ｌ、１５０Ｌ、３００Ｌ、４００Ｌとする）となるような位置（高さ）に配置されており、その位置での貯湯タンク１内の温度を検出する。
【００１５】
加熱循環回路３の往き管３１の途中には、温度センサ６ａが設けられている。温度センサ６ａは、貯湯タンク１からヒートポンプユニット２０へ流入する水の温度を検出する。尚、温度センサ６ａは、貯湯タンク１の上部からの内容積が最大（本実施形態では５５０Ｌ）となる位置での貯湯タンク１内の温度を検出するセンサとしても機能する。また、加熱循環回路３の戻り管３２と貯湯タンク１の上部との接続位置近傍には、温度センサ６ｂが設けられている。温度センサ６ｂは、ヒートポンプユニット２０で沸き上げられ貯湯タンク１内に貯湯される湯の温度を検出する。
【００１６】
貯湯タンクユニット２５には、制御装置１０が設けられている。制御装置１０は判断部１０ａと記憶部１０ｂとを備えており、ヒートポンプユニット２０、循環ポンプ、温度センサ５ａ〜５ｄ、温度センサ６ａ〜６ｂ、および後述するリモコン１５（操作部）と電気的に接続されている。制御装置１０は、入力された情報に基づいて、ヒートポンプユニット２０等のシステム全体の動作を制御する。
【００１７】
リモコン１５は、最大貯湯量設定スイッチ１５ａと最低貯湯量設定スイッチ１５ｂとを備えている。最大貯湯量設定スイッチ１５ａは、貯湯タンク１に蓄える湯量の上限値（以下、「最大貯湯量」と称する）を、該貯湯タンク１の容量の範囲内で段階的に設定するスイッチであり、例えば、該スイッチを押下する毎に、段階的に５５０Ｌ→４００Ｌ→３００Ｌ→再び５５０Ｌの順に切り替えることができる。また、最低貯湯量設定スイッチ１５ｂは、湯切れ防止のために貯湯タンク１内に貯湯しておくべき湯量の下限値（以下、「最低貯湯量」と称する）を、上記設定された最大貯湯量の範囲内で段階的に設定するスイッチであり、例えば、最大貯湯量が５５０Ｌに設定されている場合には、該スイッチを押下する毎にその設定値を段階的に４００Ｌ→３００Ｌ→１５０Ｌ→再び４００Ｌの順に切り替えることができる。貯湯タンク１内の残湯量が上記設定された最低貯湯量を下回ると、追加の沸き上げ動作（追加沸き上げ）によって所定量の湯が沸き増しされる。尚、この追加沸き上げ動作については、その詳細な説明を後述する。
【００１８】
更に、リモコン１５は、文字表示部１５ｃ、音声出力部１５ｄ、制御部１５ｅ、および記憶部１５ｆを備えている。リモコン１５は、制御部１５ｅより指示を受け、記憶部１５ｆに記憶されている各種データを制御装置１０へ出力する。
【００１９】
[本実施の形態の動作]
次に、本実施の形態における貯湯式給湯システムの動作について説明する。先ず、給水配管２から給水された市水は減圧弁（図示せず）によって所定圧に減圧され、貯湯タンク１に給水される。ここで、貯湯タンク１は常に満水状態となっている。
【００２０】
沸き上げの動作は、主に深夜電力時間帯（一般に２３時から翌朝７時）に行われる。制御装置１０からの沸き上げの指令を受けると、ヒートポンプユニット２０（例えばＣＯ２自然冷媒を利用する）は、循環ポンプ（図示せず）の運転により、貯湯タンク１内の水を貯湯タンク１の下部から加熱循環回路３を介して該ヒートポンプユニット２０内に取り込む。ヒートポンプユニット２０内に取り込まれた水は、熱交換によって設定された温度（例えば９０℃）になるように加熱昇温され、貯湯タンク１の上部に戻される。これにより、貯湯タンク１の上部より９０℃の湯が少量ずつ貯湯されていく。ヒートポンプ方式による沸き上げは、温度センサ６ａの温度が所定温度（例えば６０℃）以上になったら、貯湯タンク１が全量沸き上がったと判断して、その動作を終了する。
【００２１】
貯湯タンク１内に蓄えられた湯は、順次蛇口１８からの給湯に利用される。ここで、昼間の給湯については、深夜電力時間帯に貯湯された湯のみで賄うことがランニングコスト上好ましい。しかしながら、湯の使用量は季節や日によって変化する。このため、使用量が貯湯量を超えて湯切れすることが無いようにするため、一般的には湯切れ（すなわち貯湯量がなくなる）となる前に、深夜時間帯か昼間時間帯かに係わらず、貯湯タンク１の残湯量が所定量を下回らないように追加の沸き上げ動作（追加沸き上げ）が行われる。
【００２２】
従来のシステムであれば、例えば図１のようなシステム構成の場合は、温度センサ５ｃでの検出温度が予め設定した所定温度（例えば４５℃）を下回った場合、制御装置１０の判断部１０ａが貯湯タンク１の残湯量が不足すると判断し、ヒートポンプユニット２０への追加沸き上げを指示する。追加沸き上げにより貯湯タンク１の温度センサ５ｃが予め設定した所定温度（例えば６０℃）を越えたら、ヒートポンプユニット２０による追加沸き上げを停止する。このようにして、湯切れを回避する動作が行われている。
【００２３】
本実施の形態のシステムは、最大貯湯量の設定をユーザが任意に実行するための構成を備えることとしている。より具体的には、ユーザがリモコン１５上に設けられた最大貯湯量設定スイッチ１５ａを押下すると、最大貯湯量の設定が段階的に切り替わる。これにより、当該貯湯システムを並列に複数セット備えるシステムにおいて、設定された種々の最大貯湯量の組み合わせによって所望の給湯量を実現することが可能となる。これにより、給湯先の要求する所望の給湯量を超える量の湯が沸き上げられる事態を回避することができる。
【００２４】
また、最低貯湯量についてもユーザが任意に設定することが可能に構成されている。より具体的には、ユーザがリモコン１５上に設けられた最低貯湯量設定スイッチ１５ｂを押下すると、最低貯湯量の設定が段階的に切り替わる。このため、上記最大貯湯量の設定に併せて最低貯湯量を適正値に設定することにより、追加沸き上げ動作の最適化を図り湯切れおよび湯余りを有効に抑止することができる。
【００２５】
また、ユーザの選択によって最大貯湯量がより小容量側に変更された場合、最低貯湯量の設定状況によっては、変更後の最大貯湯量が現在の最低貯湯量以下の容量となることも想定される。この例としては、例えば、最大貯湯量が５５０Ｌ、最低貯湯量が４００Ｌに設定されている場合に、最大貯湯量が５５０Ｌから４００Ｌへ変更された場合等が相当する。この場合、ユーザが最低貯湯量の設定を変更しない限り、追加沸き上げ動作を正常に実施することができないこととなる。
【００２６】
そこで、本実施の形態のシステムでは、ユーザが最大貯湯量の設定を変更した場合に、この最大貯湯量が現在の最低貯湯量以下となる場合には、制御装置１０が、該最大貯湯量の変更に連動して、最低貯湯量の設定を最大貯湯量よりも小容量に自動的に変更する手段を備えることとしている。例えば、最大貯湯量が５５０Ｌ、最低貯湯量が４００Ｌに設定されている状態から、最大貯湯量が４００Ｌに変更された場合に、最低貯湯量が自動的に４００Ｌから３００Ｌに変更される場合等が相当する。これにより、ユーザが最低貯湯量の設定をし直す必要がないため、ユーザの利便性の向上を図ることができる。
【００２７】
[本実施の形態の具体的処理]
次に、図２を参照して、本実施の形態において実行する処理の具体的内容について説明する。図２は、制御装置１０が、最大貯湯量の設定および最低貯湯量の設定を実行するルーチンのフローチャートである。尚、ここでは、ユーザが事前にリモコン１５の最低貯湯量設定スイッチ１５ｂにより最低貯湯量の設定を行い、また当該設定された最低貯湯量に応じた追加沸き上げ湯量（以下、「沸き上げ終了湯量」と称する）が記憶されていることとする。
【００２８】
尚、最低貯湯量の設定は、例えば、「１」：温度センサ５ｂの位置の貯湯量（例：１５０Ｌ）、「２」：温度センサ５ｃの位置の貯湯量（例：３００Ｌ）、「３」：温度センサ５ｄの位置の貯湯量（例：４００Ｌ）のように３階調で設定され、例えば、最低貯湯量設定スイッチ１５ｂを押すごとに設定を１→２→３→１と切り替えることができる。また、沸き上げ終了湯量の設定は、例えば、最低貯湯量の設定に対応した一段階高容量側の値、具体的には、「１」：温度センサ５ｃの位置の貯湯量（例：３００Ｌ）、「２」：温度センサ５ｄの位置の貯湯量（例：４００Ｌ）、「３」：温度センサ６ａの位置の貯湯量（例：５５０Ｌ）のように、制御装置１０の記憶部１０ｂに記憶されている。
【００２９】
図２に示すルーチンでは、先ず、最大貯湯量設定スイッチ１５ａが押下されたか否かが判定される（ステップＳ１）。その結果、最大貯湯量設定スイッチ１５ａが押下されていないと判定された場合には、ステップＳ１が繰り返し実行される。一方、ステップＳ１において最大貯湯量設定スイッチ１５ａが押下されたと判定された場合には、次のステップに移行し、記憶部１０ｂに記憶された現在の最低貯湯量の設定値が４００Ｌであるか否かが判定される（ステップＳ２）。その結果、最低貯湯量の設定値が４００Ｌであると判定された場合には、次のステップに移行し、記憶部１０ｂに記憶された現在の最大貯湯量設定値が５５０Ｌとなっているか否かが判定される（ステップＳ３）。その結果、最大貯湯量設定値が５５０Ｌでないと判定された場合には、本ルーチンは速やかに終了される。但し、本実施の形態の設定条件においては、最大貯湯量の設定値が５５０／４００／３００Ｌの３段階であるので、最低貯湯量の設定値が４００Ｌに設定されている場合には、最大貯湯量設定値は実質的に５５０Ｌの場合しか存在しない。
【００３０】
一方、上記ステップＳ３において、最大貯湯量設定値が５５０Ｌであると判定された場合には、次のステップに移行し、最大貯湯量の設定値が５００Ｌから４００Ｌに変更される(ステップＳ４)。上記ステップＳ４が実行されると、最大貯湯量の設定値と最低貯湯量の設定値とが共に４００Ｌとなってしまう。そこで、次のステップでは、最低貯湯量の設定値が自動的に４００Ｌの一段階下の３００Ｌに変更される（ステップＳ５）。
【００３１】
一方、上記ステップＳ２において、最低貯湯量の設定値が４００Ｌでないと判定された場合には、次のステップに移行し、記憶部１０ｂに記憶された現在の最低貯湯量の設定値が３００Ｌであるか否かが判定される（ステップＳ６）。その結果、最低貯湯量の設定値が３００Ｌであると判定された場合には、次のステップに移行し、記憶部１０ｂに記憶された現在の最大貯湯量設定値が５５０Ｌとなっているか否かが判定される（ステップＳ７）。その結果、最大貯湯量設定値が５５０Ｌであると判定された場合には、次のステップに移行し、最大貯湯量の設定値が５５０Ｌから４００Ｌに変更される(ステップＳ８)。
【００３２】
一方、上記ステップＳ７において、最大貯湯量設定値が５５０Ｌでないと判定された場合には、次のステップに移行し、記憶部１０ｂに記憶された現在の最大貯湯量の設定値が４００Ｌであるか否かが判定される（ステップＳ９）。その結果、最大貯湯量の設定値が４００Ｌでないと判定された場合には、本ルーチンは速やかに終了される。但し、本実施の形態の設定条件においては、最大貯湯量の設定値が５５０／４００／３００／１５０Ｌの４段階であるので、最低貯湯量の設定値が３００Ｌに設定されている場合には、最大貯湯量設定値は実質的に４００Ｌまたは５５０Ｌの場合しか存在しない。
【００３３】
一方、上記ステップＳ９において、最大貯湯量の設定値が４００Ｌであると判定された場合には、次のステップに移行し、最大貯湯量の設定値が４００Ｌから３００Ｌに変更される(ステップＳ１０)。上記ステップＳ１０が実行されると、最大貯湯量の設定値と最低貯湯量の設定値とが共に３００Ｌとなってしまう。そこで、次のステップでは、最低貯湯量の設定値が自動的に３００Ｌの一段階下の１５０Ｌに変更される（ステップＳ１１）。
【００３４】
一方、上記ステップＳ６において、最低貯湯量の設定値が３００Ｌでないと判定された場合には、最低貯湯量の設定値が１５０Ｌであると判断されて、次のステップに移行し、記憶部１０ｂに記憶された現在の最大貯湯量の設定値が５５０Ｌであるか否かが判定される（ステップＳ１２）。その結果、最大貯湯量の設定値が５５０Ｌであると判定された場合には、次のステップに移行し、最大貯湯量の設定値が５５０Ｌから４００Ｌに変更される(ステップＳ１３)。
【００３５】
一方、上記ステップＳ１２において、最大貯湯量設定値が５５０Ｌでないと判定された場合には、次のステップに移行し、記憶部１０ｂに記憶された現在の最大貯湯量の設定値が４００Ｌであるか否かが判定される（ステップＳ１４）。その結果、最大貯湯量の設定値が４００Ｌであると判定された場合には、次のステップに移行し、最大貯湯量の設定値が４００Ｌから３００Ｌに変更される(ステップＳ１５)。
【００３６】
一方、上記ステップＳ１４において、最大貯湯量の設定値が４００Ｌでないと判定された場合には、現在の最大貯湯量の設定値が３００Ｌであると判断されて、次のステップに移行し、最大貯湯量の設定値が３００Ｌから５５０Ｌに変更される(ステップＳ１６)。
【００３７】
以上説明したとおり、本実施の形態のシステムによれば、ユーザがリモコン１５の最大貯湯量設定スイッチ１５ａを押下するだけの簡単な操作で、貯湯タンク１の最大貯湯量の設定値を変更することができる。このため、本実施の形態のシステムによれば、ユーザが毎日の湯の使用状況を把握し、また節約する意識をもって当該最大貯湯量の設定を適正に行うことにより、不要な沸き上げの抑制を簡易な操作で行うことが可能となる。また、複数の貯湯タンク１を備えるシステムにおいては、各貯湯タンクの最大貯湯量をそれぞれ個別に設定することにより、システム全体として所望のタンク容量を実現することができる。
【００３８】
また、本実施の形態のシステムによれば、ユーザが最大貯湯量の設定値を小容量側に変更することにより、変更後の最大貯湯量が現在の最低貯湯量の設定値以下となった場合は、最低貯湯量の設定値が最大貯湯量設定値の一段階下の設定に自動的に変更される。これにより、ユーザが最低貯湯量を再度設定し直す必要がないため、使い勝手の良い貯湯式給湯システムを実現することが可能となる。
【００３９】
ところで、上述した実施の形態のシステムでは、最低貯湯量の設定値を４００Ｌ、３００Ｌ、１５０Ｌの３階調に、最大貯湯量設定値を５５０Ｌ、４００Ｌ、３００Ｌの３階調にそれぞれ設定可能に構成することとしているが、最低貯湯量および最大貯湯量の設定値はこれらに限られない。すなわち、貯湯タンク１内に備える温度センサの配置・数量を変更することにより、他の設定値や階調数を設定可能に構成することとしてもよい。
【００４０】
また、上述した実施の形態のシステムでは、最低貯湯量設定値の変更操作を最低貯湯量設定スイッチ１５ｂの押下操作で実行することとしているが、複数のスイッチ操作の組合せによる階層操作方式としてもよい。また、最大貯湯量設定値の変更操作についても、最大貯湯量設定スイッチ１５ａの押下操作で実行することとしているが、複数のスイッチ操作の組合せによる階層操作方式としてもよい。また、上述した実施の形態のシステムでは、最大貯湯量設定スイッチ１５ａおよび最低貯湯量設定スイッチ１５ｂがリモコン１５上に配設されているが、これらのスイッチの配設場所はリモコン１５上に限られず、例えば貯湯タンクユニット２５に直接配設される構成としてもよい。
【００４１】
また、上述した実施の形態のシステムでは、最低貯湯量設定の設定値として３階調の温度検出位置の湯量（４００Ｌ／３００Ｌ／１５０Ｌ）としているが、温度センサ６ａでの検出温度があらかじめ設定した一定温度（例えば４５℃）を下回った場合、すなわちタンク内のお湯が全て無くなった状態でも、追加沸き上げを全く行なわない設定値を備えることとしてもよい。これにより、更に不必要な追加沸き上げを抑制することができる。
【００４２】
また、上述した実施の形態のシステムでは、図２に示すルーチンにおけるステップＳ５およびＳ１１において、最大貯湯量設定の変更に連動して最低貯湯量設定値を自動的に変更することとしているが、この変更はユーザの操作によるものではないため、この変更の旨を音声や文字等によってユーザに報知する手段を備えることが好ましい。具体的には、例えば、「最低貯湯量が３００Ｌに変更されました」等のガイダンスデータを音声出力部１５ｄ或いは文字表示部１５ｃから出力することにより、ユーザへの音声或いは文字での報知を行うことができる。
【００４３】
また、上述した実施の形態のシステムでは、それぞれ個別の制御で動作する貯湯式給湯システムを複数セット並列に設置して使用することとしているが、単一の貯湯式給湯システムに対して本実施の形態の発明を適用することとしてもよい。
【符号の説明】
【００４４】
１  貯湯タンク
５ａ，５ｂ，５ｃ，５ｄ  温度センサ
６ａ，６ｂ  温度センサ
１０  制御装置
１５  リモコン
１５ａ  最大貯湯量設定スイッチ
１５ｂ  最低貯湯量設定スイッチ
１５ｃ  文字表示部
１５ｄ  音声出力部
２０  ヒートポンプユニット
２５  貯湯タンクユニット
３０  貯湯式給湯システム
【図１】
0005609468.tif 000002
【図２】
0005609468.tif 000003